(57)【要約】      （修正有）【課題】発光装置の第１のケースと第２のケースとの合わせ部から閃光が外部に漏れないようにし、かつ分解作業を可能にすると共に組立作業の容易化を図る仕組みを提供する。【解決手段】発光装置５は、第１のケース９と、第１のケース９に着脱可能に固定され、第１のケース９との合わせ面の内側に第１のケース９に向けて突出する突出部１０ｃを有する第２のケース１０と、第１のケース９と第２のケース１０との間に配置され、遮光性を有する接着剤を介して第１のケース９に固定されるシート材１９と、第１のケース９とシート材１９との間に配置される発光部品６，１７と、を備える。突出部１０ｃは、第２のケース１０を第１のケース９に固定した際に、シート材１９を押圧して硬化前の接着剤を変形させ、前記変形した接着剤により、第１のケース９と突出部１０ｃとの隙間が塞がれる。【選択図】図３
2015028525.tif 000002
【特許請求の範囲】
【請求項１】
第１のケースと、
前記第１のケースに着脱可能に固定され、前記第１のケースとの合わせ面の内側に前記第１のケースに向けて突出する突出部を有する第２のケースと、
前記第１のケースと前記第２のケースとの間に配置されるシート材と、
遮光性を有し、前記第１のケースと前記シート材との間に配置される接着剤と、
前記第１のケースと前記シート材との間に配置される発光部品と、を備え、
前記第２のケースを前記第１のケースに固定した際に、前記シート材は前記接着剤と前記突出部との間に挟まれることを特徴とする発光装置。
【請求項２】
撮像装置の装置本体に収納される収納位置と前記装置本体から突出した発光位置との間を移動する可動部を備え、
前記可動部は、
第１のケースと、
前記第１のケースに着脱可能に固定され、前記第１のケースとの合わせ面の内側に前記第１のケースに向けて突出する突出部を有する第２のケースと、
前記第１のケースと前記第２のケースとの間に配置されるシート材と、
遮光性を有し、前記第１のケースと前記シート材との間に配置される接着剤と、
前記第１のケースと前記シート材との間に配置される発光部品と、を有し、
前記第２のケースを前記第１のケースに固定した際に、前記シート材は前記接着剤と前記突出部との間に挟まれることを特徴とする発光装置。
【請求項３】
前記第１のケースは、前記接着剤の塗布面を有し、
前記塗布面は、前記第１のケースの前記第２のケースとの合わせ面より低い位置に配置されることを特徴とする請求項１又は２に記載の発光装置。
【請求項４】
前記シート材は、遮光性を有することを特徴とする請求項１乃至３のいずれか一項に記載の発光装置。
【請求項５】
発光装置を備える撮像装置であって、
前記発光装置として、請求項１乃至４のいずれか一項に記載の発光装置を備えることを特徴とする撮像装置。
【発明の詳細な説明】
【技術分野】
【０００１】
本発明は、例えばデジタルカメラ等の撮像装置に搭載されるストロボユニット等の発光装置、及び発光装置を備える撮像装置に関する。
【背景技術】
【０００２】
デジタルカメラ等の撮像装置に搭載される発光装置として、正面側ケースと背面側ケースにより外装を形成して、内部にキセノン管や反射笠等の発光部品を収納したストロボユニットが知られている（特許文献１）。この提案では、反射笠の曲面部と背面側ケースの直線部との間に生じるスペースに正面側ケースと背面側ケースとの係合部を配置することで、スペースを有効活用して小型化を実現している。
【０００３】
ところで、近年、より繰出し量の大きいレンズユニットやより大口径のレンズユニットがコンパクトデジタルカメラに搭載されるようになってきている。また、レンズ交換式のデジタルカメラでは、多種多様なレンズユニットが装着される。
【０００４】
このようなカメラでは、発光部からの閃光がレンズユニットに遮られないようにするため、発光部を有する可動部をカメラ本体の内部の収納位置とカメラ本体から突出した発光位置との間で直進移動させるポップアップ式のストロボユニットが用いられる。
【０００５】
しかし、正面側ケースと背面側ケースとの合わせ部がカメラ本体から露出するストロボユニットでは、合わせ部に隙間が生じると、閃光が外部へ漏れることがある。特に夜間における撮影では、わずかな光漏れであっても視認できるため、ユーザに不快感を与える可能性がある。
【先行技術文献】
【特許文献】
【０００６】
【特許文献１】特開２００６−３０３８７号公報
【発明の概要】
【発明が解決しようとする課題】
【０００７】
正面側ケースと背面側ケースとの合わせ部からの光漏れを防止するために、正面側ケースと背面側ケースとの合わせ部に遮光性を有する接着剤を塗布することが知られている。
【０００８】
しかし、正面側ケースと背面側ケースとの合わせ部に接着剤を塗布して、両者を接着すると、ストロボユニットの分解が不可能となる。この場合、正面側ケース及び背面側ケースの交換ができなくなり、発光部品の交換もできなくなる。また、ストロボユニットの組立時には、正面側ケースと背面側ケースとの合わせ部から接着剤が外装にはみ出さないよう管理する必要があり、組立作業が面倒になる。
【０００９】
そこで、本発明は、発光装置の第１のケースと第２のケースとの合わせ部から閃光が外部に漏れないようにし、かつ分解作業を可能にするとともに組立作業の容易化を図る仕組みを提供することを目的とする。
【課題を解決するための手段】
【００１０】
上記目的を達成するために、本発明の発光装置は、第１のケースと、前記第１のケースに着脱可能に固定され、前記第１のケースとの合わせ面の内側に前記第１のケースに向けて突出する突出部を有する第２のケースと、前記第１のケースと前記第２のケースとの間に配置されるシート材と、遮光性を有し、前記第１のケースと前記シート材との間に配置される接着剤と、前記第１のケースと前記シート材との間に配置される発光部品と、を備え、前記第２のケースを前記第１のケースに固定した際に、前記シート材は前記接着剤と前記突出部との間に挟まれることを特徴とする。
【００１１】
本発明の発光装置は、撮像装置の装置本体に収納される収納位置と前記装置本体から突出した発光位置との間を移動する可動部を備え、前記可動部は、第１のケースと、前記第１のケースに着脱可能に固定され、前記第１のケースとの合わせ面の内側に前記第１のケースに向けて突出する突出部を有する第２のケースと、前記第１のケースと前記第２のケースとの間に配置されるシート材と、遮光性を有し、前記第１のケースと前記シート材との間に配置される接着剤と、前記第１のケースと前記シート材との間に配置される発光部品と、を有し、前記第２のケースを前記第１のケースに固定した際に、前記シート材は前記接着剤と前記突出部との間に挟まれることを特徴とする。
【発明の効果】
【００１２】
本発明によれば、発光装置の第１のケースと第２のケースとの合わせ部から閃光が外部に漏れないようにし、かつ分解作業を可能にするとともに組立作業の容易化を図ることができる。
【図面の簡単な説明】
【００１３】
【図１】（ａ）は本発明の発光装置の実施形態の一例であるストロボユニットを搭載したデジタルカメラを正面側（被写体側）から見た斜視図、（ｂ）は（ａ）に示すデジタルカメラに搭載されたストロボユニットの可動部が発光位置に移動した状態を示す斜視図である。
【図２】（ａ）は可動部が収納位置にあるときのストロボユニットを正面側から見た斜視図、（ｂ）は可動部が発光位置にあるときのストロボユニットを正面側から見た斜視図、（ｃ）は（ｂ）の背面側から見た斜視図である。
【図３】可動部の分解斜視図である。
【図４】正面側ケースを背面側から見た斜視図である。
【図５】背面側ケースを正面側から見た斜視図である。
【図６】（ａ）は正面側ケースにフレネルレンズを組み付ける手順を示す斜視図、（ｂ）は正面側ケースにキセノン管、反射笠及びトリガーコイルを組み付ける手順を示す斜視図である。
【図７】（ａ）は正面側ケースに接着剤を塗布する手順を示す斜視図、（ｂ）は（ａ）を異なる角度から見た斜視図である。
【図８】（ａ）は接着剤の塗布後にシート材を組み付ける様子を示す斜視図、（ｂ）はシート材を組み付けた後の状態を示す斜視図である。
【図９】（ａ）は正面側ケースに背面側ケースを組み付ける前の状態を示す斜視図、（ｂ）は正面側ケースに背面側ケースを組み付ける途中の状態を示す斜視図である。
【図１０】正面側ケースに背面側ケースを組み付けた後の状態を示す斜視図である。
【図１１】可動部の要部を背面側から見た図である。
【図１２】図１１のＳ１−Ｓ１線断面図である。
【図１３】図１１のＳ２−Ｓ２線断面図である。
【図１４】図１１のＳ３−Ｓ３線断面図である。
【図１５】可動部が収納位置にあるときのストロボユニットの要部を示す図である。
【図１６】操作レバーがロック解除操作されて可動部が発光位置に直進移動したときのストロボユニットの要部を示す図である。
【図１７】図１６の状態から操作レバーが復帰したときのストロボユニットの要部を示す図である。
【発明を実施するための形態】
【００１４】
以下、本発明の実施形態の一例を図面を参照して説明する。
【００１５】
図１（ａ）は、本発明の発光装置の第１の実施形態であるストロボユニットを搭載したデジタルカメラを正面側（被写体側）から見た斜視図である。図１（ｂ）は、図１（ａ）に示すデジタルカメラに搭載されたストロボユニットの可動部が発光位置に移動した状態を示す斜視図である。なお、本実施形態では、撮像装置として、デジタルカメラを例示するが、これに限定されない。
【００１６】
図１に示すデジタルカメラは、カメラ本体１の正面側にレンズユニット２が配置され、カメラ本体１の上面部には、レリーズボタン３及び電源ボタン４等が配置されている。また、カメラ本体１の正面側から見て右側の上面部には、ストロボユニット７が配置され、右側の側面部には、ストロボユニット７の操作レバー８が露出して配置されている。ここで、カメラ本体１は、本発明の装置本体の一例に相当する。
【００１７】
操作レバー８を図の矢印Ａ方向にスライド操作することにより、ストロボユニット７の可動部５が、カメラ本体１に収納された収納位置（図１（ａ））とカメラ本体１の上面部から上方に突出した発光位置（図１（ｂ））との間で直進移動可能に構成される。そして、可動部５が発光位置に移動した状態で、可動部５に配置されたキセノン管１７（図３参照）からフレネルレンズ６を介して被写体に向けてストロボ光（閃光）が発光される。
【００１８】
図２（ａ）は可動部が収納位置にあるときのストロボユニットを正面側から見た斜視図、図２（ｂ）は可動部が発光位置にあるときのストロボユニットを正面側から見た斜視図、図２（ｃ）は図２（ｂ）の背面側から見た斜視図である。
【００１９】
図２に示すように、可動部５は、フレネルレンズ６、キセノン管１７及びトリガーコイル２０（図３参照）などの発光部品を有し、発光部品は、正面側ケース９及び背面側ケース１０により覆われる。正面側ケース９は、可動部５の正面、上面、底面及び両側面の外装を形成している。ここで、正面側ケース９は、本発明の第１のケースの一例に相当し、背面側ケース１０は、本発明の第２のケースの一例に相当する。
【００２０】
キセノン管１７やトリガーコイル２０は、配線材２１（図３参照）を介してコンデンサ１１及び回路基板１２に接続され、これにより、発光する為の電気回路を構成している。また、可動部５は、カバー部材１３とベース部材１４との間に挟まれた状態で、収納位置と発光位置との間で上下方向の直進移動が可能に支持されている。ベース部材１４には、可動部５を収納位置で移動規制するロック部材１５が設けられ、ベース部材１４は、カメラ本体１の不図示のシャーシに固定される。
【００２１】
ロック部材１５は、ベース部材１４に対して左右方向（水平方向）にロック位置とロック解除位置との間で移動可能に保持され、圧縮コイルバネ１６（以下、圧縮バネ１６という。）によりロック位置（初期位置）の方向に付勢されている。
【００２２】
図３は、可動部５の分解斜視図である。図３において、反射笠１８は、キセノン管１７に対し背面側から当接するように配置される。キセノン管１７の両端には、それぞれゴム管１７ａが圧入されている。ゴム管１７ａは、キセノン管１７の端子部を絶縁する役割と、キセノン管１７を反射笠１８に向けて付勢する役割とを担っている。
【００２３】
キセノン管１７で発生した閃光は、反射笠１８によって集光される。フレネルレンズ６は、キセノン管１７と正面側ケース９との間に配置され、キセノン管１７及び反射笠１８からの閃光を所望の撮影範囲で照射するように、入射面と射出面とを備える。シート材１９は、反射笠１８と背面側ケース１０との間に配置される。
【００２４】
配線材２１は、キセノン管１７のアノードとカソードとに電気的に接続する。また配線材２１は、トリガーコイル２０をコンデンサ１１と回路基板１２とにそれぞれ結線する他、反射笠１８とトリガーコイル２０とを電気的に接続する。
【００２５】
図４は正面側ケース９を背面側から見た斜視図、図５は背面側ケース１０を正面側から見た斜視図である。図４に示すように、正面側ケース９は、フレネルレンズ６、キセノン管１７及びトリガーコイル２０等の発光部品を組み込まれる空間が形成され、その上面側に可動部５の上面部の外装を形成する庇部９ａが形成される。庇部９ａの背面側の側部には、凸形状部９ｂが庇部９ａと一体的に形成される。
【００２６】
正面側ケース９には、背面側ケース１０の係合部１０ｅが係合する爪形状部９ｄ、後述する引張りコイルバネ２４（図１５参照）が掛止されるフック部９ｃ、及びビス穴９ｇが形成される。また、正面側ケース９には、背面側ケース１０との合わせ面９ｅが形成されるとともに、合わせ面９ｅから正面側に一段低い位置には、接着剤２２（図７参照）の塗布面９ｆが形成される。
【００２７】
一方、背面側ケース１０には、図５に示すように、正面側ケース９の合わせ面９ｅに当接して合わせ部を形成する合わせ面１０ａが形成される。背面側ケース１０の上側部には、突出部１０ｂが形成され、背面側ケース１０の両側部には、それぞれ突出部１０ｃが形成される。突出部１０ｂは、正面側ケース９の凸形状部９ｂの内側に挿入されて、正面側ケース９と間でインロー構造を形成する。突出部１０ｃは、合わせ面１０ａの内側に配置され、正面側ケース９の合わせ面９ｅの内側に嵌め込まれて、正面側ケース９と間でインロー構造を形成する。突出部１０ｃの上端には、面取り部１０ｄが形成される。
【００２８】
また、背面側ケース１０には、係合部１０ｅ及びストッパ部１０ｆが形成される。係合部１０ｅは、正面側ケース９の爪形状部９ｄに係合する。ストッパ部１０ｆは、ロック部材１５と係合することで、可動部５を収納位置に保持する。
【００２９】
次に、図６乃至図１０を参照して、可動部５の組立例について説明する。図６（ａ）は正面側ケース９にフレネルレンズ６を組み付ける手順を示す斜視図、図６（ｂ）は正面側ケース９にキセノン管１７、反射笠１８及びトリガーコイル２０を組み付ける手順を示す斜視図である。
【００３０】
まず、図６（ａ）に示すように、正面側ケース９の背面側からフレネルレンズ６を組み付ける。このとき、フレネルレンズ６は、凸形状部９ｂに干渉しないように凸形状部９ｂの斜め下方向から正面側ケース９に挿入して正面側に押し込む。これにより、フレネルレンズ６が正面側ケース９に保持される。
【００３１】
次に、図６（ｂ）に示すように、正面側ケース９に組み込まれたフレネルレンズ６の背面側に、配線材２１によって結線されたキセノン管１７と反射笠１８とをそれぞれ順番に挿入した後、その下側に結線済みのトリガーコイル２０を固定する。
【００３２】
図７（ａ）は正面側ケース９に接着剤を塗布する手順を示す斜視図、図７（ｂ）は図７（ａ）を異なる角度から見た斜視図である。図７において、接着剤２２は、硬化状態において遮光性を有し、正面側ケース９の左右の塗布面９ｆにそれぞれ外側の壁面の隅に寄せられるよう塗布される。このときの塗布量は、塗布面９ｆから接着剤２２がはみ出ることがなく、且つ遮光の効果が得られるだけの適切な量で管理される。また、凸形状部９ｂの両側は開放されているため、凸形状部９ｂの両側に配置される塗布面９ｆに注射器等の専用工具で接着剤２２を塗布する際に、合わせ面９ｅよりも一段低い塗布面９ｆに専用工具が届きやすくなっている。
【００３３】
図８（ａ）は接着剤２２の塗布後にシート材１９を組み付ける様子を示す斜視図、図８（ｂ）はシート材１９を組み付けた後の状態を示す斜視図である。図８（ａ）に示すように、本実施形態では、シート材１９は、少なくとも遮光性と耐熱性とを備える絶縁シートであり、下側部に舌片１９ａを有する略Ｔ字形状とされている。そして、上述した接着剤２２の塗布後に、シート材１９の上側部を正面側ケース９の凸形状部９ｂの内側に挿入し、舌片１９ａを正面側ケース９の内部空間に対して折り曲げるようにして挿入する。
【００３４】
このとき、シート材１９は、元に戻ろうとする力によって上側の庇部９ａへ片寄せされた状態となる。また、背面側へ飛び出そうとするシート材１９の力は、正面側ケース９の凸形状部９ｂにより受け止められる。これにより、背面側ケース１０が組み付けられる前の仮固定の状態であっても、シート材１９の姿勢が安定し、発光部品が正面側ケース９から脱落する心配がなく、組立作業が容易なものとなる。
【００３５】
図９（ａ）は正面側ケース９に背面側ケース１０を組み付ける前の状態を示す斜視図、図９（ｂ）は正面側ケース９に背面側ケース１０を組み付ける途中の状態を示す斜視図である。上述したように、シート材１９を組み付けた後、図９に示すように、正面側ケース９に対して背面側ケース１０の上側部を斜め下方向から凸形状部９ｂの内側に挿入する。
【００３６】
このとき、背面側ケース１０は、突出部１０ｂが正面側ケース９の庇部９ａ側に入り込むことによって、正面側ケース９と間でインロー構造を形成する。その後、背面側ケース１０側の合わせ面１０ａを正面側ケース９側の合わせ面９ｅに突き当て、突出部１０ｃを正面側ケース９に嵌め込む。
【００３７】
図１０は、正面側ケース９に背面側ケース１０を組み付けた後の状態を示す斜視図である。図１０に示す状態では、背面側ケース１０側から挿入したビス２３を正面側ケース９のビス穴９ｇに締結することで、正面側ケース９に対して背面側ケース１０が着脱可能に固定され、背面側ケース１０の係合部１０ｅが正面側ケース９の爪形状部９ｄに係合される。これにより、可動部５の組立が完了する。
【００３８】
図１１は、可動部５の要部を背面側から見た図である。図１２は図１１のＳ１−Ｓ１線断面図、図１３は図１１のＳ２−Ｓ２線断面図、図１４は図１１のＳ３−Ｓ３線断面図である。
【００３９】
図１２及び図１３に示すように、正面側ケース９に嵌め込まれた背面側ケース１０の側面側の突出部１０ｃは、シート材１９を介して硬化前の接着剤２２を押圧して変形させている。接着剤２２は、正面側ケース９と背面側ケース１０の側面側の突出部１０ｃとの嵌め合い部において、その隙間を塞ぐように変形し硬化している。また、接着剤２２は、正面側ケース９と背面側ケース１０の側面側の突出部１０ｃとの隙間から合わせ面９ｅ側にはみ出ることのない範囲で変形している。
【００４０】
ここで、接着剤２２は、背面側ケース１０の側面側の突出部１０ｃに押圧されて変形しているが、シート材１９が正面側ケース９と背面側ケース１０の側面側の突出部１０ｃとの間に回り込んでいるため、背面側ケース１０に接着剤２２が付着するおそれはない。すなわち、シート材１９は、接着剤２２と突出部１０ｃとの間に挟まれる状態となる。
【００４１】
背面側ケース１０の上側部については、図１４に示すように、側面側の突出部１０ｃの上端に面取り部１０ｄを設けている。このため、面取り部１０ｄとシート材１９との間に十分な空間が設けられ、仮に面取り部１０ｄとシート材１９との間に接着剤２２が少量漏れ出すことはあっても、面取り部１０ｄに接着剤２２が直接付着することはない。また、シート材１９は、舌片１９ａの折り曲げの作用によって、正面側ケース９に対して背面側ケース１０が常に片寄せされて上側部の隙間が詰まっているため、接着剤２２が漏れ出しにくい構造になっている。
【００４２】
図１５は、可動部５が収納位置にあるときのストロボユニットの要部を示す図である。図１６は操作レバー８がロック解除操作されて可動部５が発光位置に直進移動したときのストロボユニットの要部を示す図、図１７は図１６の状態から操作レバー８が復帰したときのストロボユニットの要部を示す図である。
【００４３】
図１５乃至図１７において、引張りコイルバネ２４（以下、引張りバネ２４という。）は、一方の端部がベース部材１４のフック部１４ａに掛止され、他方の端部が正面側ケース９のフック部９ｃに掛止される。引張りバネ２４は、図１５に示す可動部５の収納位置で最も伸長した状態になっている。
【００４４】
このとき、可動部５を発光位置に直進移動させようとする引張りバネ２４の付勢力は、ロック部材１５に形成された不図示のロック部が背面側ケース１０のストッパ部１０ｆと当接することで受け止められる。
【００４５】
圧縮バネ２５は、操作レバー８を図の上方向に付勢する。圧縮バネ２５は、ユーザが操作レバー８を図１６の矢印Ａ方向にスライド操作している間は、圧縮状態とされ、ユーザが操作レバー８から指等を離した後は、図１７に示すように、操作レバー８を押し戻して元の位置に復帰させる。
【００４６】
本実施形態では、操作レバー８とロック部材１５とが互いに不図示の斜面部で摺動し、操作レバー８とロック部材１５とが連動する。そのため、操作レバー８を矢印Ａ方向にスライド操作すると、ロック部材１５が矢印Ｂ方向にロック位置からロック解除位置へと移動する。
【００４７】
これにより、ロック部材１５のロック部とストッパ部１０ｆとの係合が外れて引張りバネ２４の付勢力が解放され、可動部５が図１５に示す収納位置から図１６に示す発光位置に直進移動する。その後、ユーザが操作レバー８から指等を離すと、圧縮バネ２５の付勢力により操作レバー８が元の位置に復帰するとともに、圧縮バネ１６の付勢力によりロック部材１５が元の位置に復帰して図１７に示す状態となる。
【００４８】
また、発光位置にある可動部５は、ユーザがその上面をカメラ本体１内に押し込むことで、収納位置へ移動させることが可能である。このとき、ストッパ部１０ｆがロック部材１５の不図示の斜面部と当接し、圧縮バネ１６の付勢力に抗してロック部材１５を退避させる。その後、ストッパ部１０ｆとロック部材１５のロック部とが係合し、引張りバネ２４が伸長した状態で再び可動部５が収納位置に保持される。
【００４９】
以上説明したように、本実施形態では、正面側ケース９に対して遮光性を有する接着剤２２を介してシート材１９を組み込み、シート材１９を覆うように背面側ケース１０がビス２３を介して正面側ケース９に固定される。また、接着剤２２は、背面側ケース１０を正面側ケース９に固定した際に背面側ケース１０の突出部１０ｃを介してシート材１９により押圧されて変形させられた後、正面側ケース９の背面側ケース１０の突出部１０ｃとの隙間を塞いだ状態で硬化する。これにより、ストロボユニット７の可動部５の外装を形成する正面側ケース９と背面側ケース１０との合わせ部から閃光が外部に漏れないようにすることができる。
【００５０】
また、本実施形態では、ストロボユニット７の分解に関しては、ビス２３を外して背面側ケース１０を取り外すことができ、また、シート材１９を剥がすことができるので、ケース９，１０やシート材１９及び発光部品等の交換も可能となる。
【００５１】
更に、本実施形態では、正面側ケース９の合わせ面９ｅより低い塗布面９ｆに塗布された接着剤２２を介してシート材１９を組み込んだ後、背面側ケース１０を正面側ケース９に固定する。このため、ストロボユニット７の組立時に、正面側ケース９と背面側ケース１０との合わせ部から接着剤２２が外装にはみ出さないよう管理する必要がなくなり、組立作業が容易となる。
【００５２】
更に、本実施形態では、遮光性を有するシート材１９を用いているので、背面側へ漏れだす閃光は減衰する。そのため、光の透過を防ぐ目的で確保されていた背面側ケース１０の肉厚を薄くすることが可能となり、ストロボユニット７の小型化が可能となる。
【００５３】
なお、本発明の構成は、上記実施形態に例示したものに限定されるものではなく、材質、形状、寸法、形態、数、配置箇所等は、本発明の要旨を逸脱しない範囲において適宜変更可能である。
【００５４】
例えば、上記実施形態では、所謂ポップアップ式のストロボユニットを例示したが、これに限定されず、カメラ本体１に対して着脱可能に装着されるストロボユニットであってもよい。
【符号の説明】
【００５５】
１  カメラ本体
２  レンズ部
５  可動部
６  フレネルレンズ
７  ストロボユニット
９  正面側ケース
９ｅ  合わせ面
９ｆ  塗布面
１０  背面側ケース
１０ｃ  突出部
１９  シート材
２２  接着剤
２３  ビス
【図１】
2015028525.tif 000003
【図２】
2015028525.tif 000004
【図３】
2015028525.tif 000005
【図４】
2015028525.tif 000006
【図５】
2015028525.tif 000007
【図６】
2015028525.tif 000008
【図７】
2015028525.tif 000009
【図８】
2015028525.tif 000010
【図９】
2015028525.tif 000011
【図１０】
2015028525.tif 000012
【図１１】
2015028525.tif 000013
【図１２】
2015028525.tif 000014
【図１３】
2015028525.tif 000015
【図１４】
2015028525.tif 000016
【図１５】
2015028525.tif 000017
【図１６】
2015028525.tif 000018
【図１７】
2015028525.tif 000019